(57)【特許請求の範囲】
【請求項１】
天面側が開口した有底筒状のパッケージと、
前記パッケージの内底面上に配置されたＭＥＭＳデバイスであって、前記パッケージの底部を介して流入する熱により前記ＭＥＭＳデバイス内に生ずる温度差を測定する１つ以上のサーモパイルを有するＭＥＭＳデバイスと、
前記ＭＥＭＳデバイスから前記天面側に流出する熱量を増加させる熱量増加手段と、
を備えることを特徴とする温度差測定装置。
【請求項２】
前記熱量増加手段として、前記パッケージの天面を覆う、当該天面よりも大きな天板部を備える
ことを特徴とする請求項１に記載の温度差測定装置。
【請求項３】
前記熱量増加手段として、前記パッケージの天面を覆う、１つ以上の放熱フィンを有する天板部を備える
ことを特徴とする請求項１に記載の温度差測定装置。
【請求項４】
前記熱量増加手段として、前記ＭＥＭＳデバイスと所定の間隔をもって対向する赤外線吸収部材を備える
ことを特徴とする請求項１に記載の温度差測定装置。
【請求項５】
前記熱量増加手段は、前記赤外線吸収部材が配設された、前記パッケージの開口を覆う天板部を含む
ことを特徴とする請求項４に記載の温度差測定装置。
【請求項６】
前記熱量増加手段は、前記赤外線吸収部材が配設された、前記パッケージの底部が露出するように前記パッケージを覆うケースを含む
ことを特徴とする請求項４に記載の温度差測定装置。
【請求項７】
前記熱量増加手段は、前記天板部と前記パッケージの天面との間に配置された熱絶縁性部材を含む
ことを特徴とする請求項２、３及び５のいずれか一項に記載の温度差測定装置。
【請求項８】
前記天板部の前記パッケージと対向しない側の面が、光反射面である
ことを特徴とする請求項２、３、５及び７のいずれか一項に記載の温度差測定装置。
【請求項９】
前記パッケージの内底面上に配置された第２のＭＥＭＳデバイスであって、前記パッケージの底部を介して流入する熱により前記第２のＭＥＭＳデバイス内に生ずる温度差を測定する１つ以上のサーモパイルを有する第２のＭＥＭＳデバイスを、さらに備え、
前記熱量増加手段として、前記ＭＥＭＳデバイスと第１の間隔をもって対向する第１天板部、及び、前記第２のＭＥＭＳデバイスと前記第１の間隔よりも広い第２の間隔をもって対向する第２天板部を備える
ことを特徴とする請求項１に記載の温度差測定装置。
【発明の詳細な説明】
【技術分野】
【０００１】
本発明は、温度差測定装置に関する。
【背景技術】
【０００２】
体表面から流出する熱流の大きさを検知してその検知結果から深部体温を測定（算出）する方法として、図１０（Ａ）に示した構成のセンサモジュールを使用するもの（例えば、特許文献１参照）と、図１０（Ｂ）に示した構成のセンサモジュールを使用するもの（例えば、特許文献２参照）とが知られている。
【０００３】
図１０（Ａ）に示したセンサモジュール、すなわち、断熱材の上下面にそれぞれ温度センサが取り付けられた１つの熱流束センサを用いる場合、断熱材の上面側の温度センサにより測定される温度Ｔａ、断熱材の下面側の温度センサにより測定される温度Ｔｔとから、以下の（１）式により深部体温Ｔｂが算出される。
【０００４】
Ｔｂ＝（Ｔｔ−Ｔａ）Ｒｘ／Ｒ１＋Ｔｔ      …（１）
ここで、Ｒ１、Ｒｘとは、それぞれ、断熱材の熱抵抗、皮下組織の熱抵抗のことである。
【０００５】
図１０（Ａ）に示したセンサモジュールを用いる内部温度算出方法は、基本的には、Ｒ１及びＲｘの値として固定値を使用するものとなっている。ただし、Ｒｘ値は、場所による違いや個人差がある値であるため、Ｒｘ値として固定値を用いて上記式により算出した深部体温Ｔｂには、用いたＲｘ値と実際のＲｘ値との差に応じた測定誤差が含まれることになる。そのため、Ｔｔ、Ｔａの時間変化を測定して、測定結果からＲｘを算出することも行われている（特許文献１参照）。
【０００６】
図１０（Ｂ）に示したセンサモジュールを用いて内部温度を算出する場合、断熱材の熱抵抗が異なる２つの熱流束センサのそれぞれによって、体表面からの熱流束を表す温度差が測定される。断熱材の熱抵抗が異なる２つの熱流束センサにより温度差を測定すれば、以下の２式を得ることが出来る。
【０００７】
Ｔｂ＝（Ｔｔ−Ｔａ）Ｒｘ／Ｒ１＋Ｔｔ            …（２）
Ｔｂ＝（Ｔｔ′−Ｔａ′）Ｒｘ／Ｒ２＋Ｔｔ′      …（３）
ここで、Ｒ１、Ｒ２（＜Ｒ１）とは、図１０（Ｂ）に示してあるように、各熱流束センサの断熱材の熱抵抗のことである。また、Ｔａ、Ｔｔとは、それぞれ、図１０（Ｂ）において左側に示してある熱流束センサ（熱抵抗がＲ１の断熱材が使用されている熱流束センサ）の上面側、下面側の温度センサにより測定される温度のことである。Ｔａ′、Ｔｔ′とは、それぞれ、図１０（Ｂ）において右側に示してある熱流束センサ（熱抵抗が、Ｒ１より小さなＲ２の断熱材が使用されている熱流束センサ）の上面側、下面側の温度センサにより測定される温度のことである。
【０００８】
（２）、（３）式を組み合わせてＲｘを消去すれば、以下の（４）式を得ることが出来る。
【０００９】
【数１】
0006398807.tif 000002
【００１０】
従って、図１０（Ｂ）のセンサモジュールによれば、皮下組織の熱抵抗Ｒｘの個人差の影響を受けることなく、深部体温Ｔｂを算出することが出来る。
【先行技術文献】
【特許文献】
【００１１】
【特許文献１】特開２００２−３７２４６４号公報
【特許文献２】特開２００７−２１２４０７号公報
【発明の概要】
【発明が解決しようとする課題】
【００１２】
図１０（Ａ）、（Ｂ）に示したセンサモジュールは、Ｔｂの算出に必要な情報を、複数の温度センサにて得るものである。そして、温度センサの精度は、さほど高いものではないため、図１０（Ａ）、（Ｂ）に示したセンサモジュールには、熱抵抗及び熱容量が大きな断熱材が使用されている。そのため、これらのセンサモジュールは、応答性が悪い（安定した、深部体温の測定結果が得られるまでに要する時間が長い）ものとなっている。
【００１３】
ＭＥＭＳ技術を用いて、幾つかのサーモパイルを作り込んだデバイス（以下、ＭＥＭＳデバイス／チップと表記する）でも、“Ｔｔ−Ｔａ”に相当する温度差（以下、ΔＴと表記する）、“Ｔｔ′−Ｔａ′”に相当する温度差（以下、ΔＴ′と表記する）を得ることが出来る。
【００１４】
そのようなデバイス（以下、ＭＥＭＳデバイス又はＭＥＭＳチップと表記する）を、ΔＴの測定、又は、ΔＴ及びΔＴ′の測定に使用すれば、温度差を測定するための部分の熱容量が大きく減少するため、応答性がより良い形で深部体温を測定することが可能となる。ただし、ＭＥＭＳデバイスのサーモパイルから出力される電圧は小さなものであるため、ＭＥＭＳデバイスのサーモパイルにより測定される温度差をより大きくできる技術が望まれる。
【００１５】
そこで、本発明の課題は、ＭＥＭＳデバイスのサーモパイルにより測定される温度差をより大きくできる技術を提供することにある。
【課題を解決するための手段】
【００１６】
上記課題を解決するために、本発明の温度差測定装置は、天面側が開口した有底筒状のパッケージと、前記パッケージの内底面上に配置されたＭＥＭＳデバイスであって、前記パッケージの底部を介して流入する熱により前記ＭＥＭＳデバイス内に生ずる温度差を測定する１つ以上のサーモパイルを有するＭＥＭＳデバイスと、前記ＭＥＭＳデバイスから前記天面側に流出する熱量を増加させる熱量増加手段と、を備える。
【００１７】
すなわち、本発明の温度差測定装置は、『前記ＭＥＭＳデバイスから前記天面側に流出する熱量を増加させる熱量増加手段』を備えている。ＭＥＭＳデバイスからパッケージの天面（底部とは反対側の面）側に流出する熱量が増加すれば、ＭＥＭＳデバイスのサーモパイルにより測定される温度差が大きくなる。従って、本発明の温度差測定装置を用いておけば、同じＭＥＭＳデバイスを備え、熱量増加手段を備えない内部温度測定装置や熱流束測定装置よりも、ＭＥＭＳデバイスのサーモパイルにより測定される温度差が大きい内
部温度測定装置や熱流束測定装置を、実現（製造）することができる。また、本発明の温度差測定装置は、有底筒状のパッケージ内にＭＥＭＳデバイスを配置した構成を有している。従って、本発明の温度差測定装置を用いておけば、プリント配線板上に直接ＭＥＭＳデバイスを配置する場合よりも、容易に（製造に要する工程数が少ない形で）、内部温度測定装置や熱流束測定装置を製造できることにもなる。
【００１８】
本発明の温度差測定装置における『天面側が開口した有底筒状のパッケージ』は、有底円筒状、有底楕円筒状、有底角筒状等の、底部と当該底部の周囲を囲繞する側壁部とを備えたパッケージであれば良い。本発明の温度差測定装置の熱量増加手段としては、様々な構造を採用することが出来る。例えば、熱量増加手段として、『前記パッケージの天面を覆う、当該天面よりも大きな天板部』や、『前記パッケージの天面を覆う、１つ以上の放熱フィンを有する天板部』を採用しておいても良い。尚、熱量増加手段として、上記のような天板部を採用した場合、天板部の放熱性が向上するため、天板部の温度が下がる。そして、その結果として、ＭＥＭＳデバイス（ＭＥＭＳデバイスの１つ以上のサーモパイル）によって測定される温度差が増大することになる。
【００１９】
また、熱量増加手段として、『前記ＭＥＭＳデバイスと所定の間隔をもって対向する赤外線吸収部材』や、そのような赤外線吸収部材と『前記赤外線吸収部材が配設された、前記パッケージの開口を覆う天板部』とを含む構造や、そのような赤外線吸収部材と『前記赤外線吸収部材が配設された、前記パッケージの底部が露出するように前記パッケージを覆うケース』とを含む構造を採用しておいても良い。熱量増加手段として、上記のような構造を採用しておけば、ＭＥＭＳデバイスの上方に位置する部材（赤外線吸収部材自体や、赤外線吸収部材が配設されている天板部、ケース）への熱伝達が促進され、その結果として、ＭＥＭＳデバイスにより測定される温度差が増大することになる。
【００２０】
天板部を含む熱量増加手段に、『前記天板部と前記パッケージの上端面との間に配置された熱絶縁性部材』を含めておいても良い。この構成を採用しておけば、パッケージの側壁を通った熱による天板部の温度上昇を抑制することが可能となるため、ＭＥＭＳデバイスにより測定される温度差がさらに増大する。また、光の入射による天板部の温度上昇を抑制するために、本発明の温度差測定装置に、『前記天板部の前記パッケージと対向しない側の面が、光反射面である』構成を採用しておいても良い。
【００２１】
また、本発明の温度差測定装置に、『前記パッケージの内底面上に配置された第２のＭＥＭＳデバイスであって、前記パッケージの底部を介して流入する熱により前記第２のＭＥＭＳデバイス内に生ずる温度差を測定する１つ以上のサーモパイルを有する第２のＭＥＭＳデバイスを、さらに備え、前記熱量増加手段として、前記ＭＥＭＳデバイスと第１の間隔をもって対向する第１天板部、及び、前記第２のＭＥＭＳデバイスと前記第１の間隔よりも広い第２の間隔をもって対向する第２天板部を備える』構成を採用しておいても良い。
【００２２】
この構成を採用しておけば、第２天板部の温度を第１天板部の温度よりも低くすることが出来る。従って、第２天板部下に位置するＭＥＭＳチップにより測定される温度差を大きくすることが出来る。
【発明の効果】
【００２３】
本発明の温度差測定装置を用いれば、ＭＥＭＳデバイスのサーモパイルにより測定される温度差がより大きい内部温度測定装置等を容易に得ることが出来る。
【図面の簡単な説明】
【００２４】
【図１】図１は、本発明の第１実施形態に係る温度差測定装置が用いられた内部温度測定装置の概略構成図である。
【図２】図２は、第１実施形態に係る温度差装置が備えるパッケージの斜視図である。
【図３】図３は、パッケージ内に配置されるＭＥＭＳチップの構成の説明図である。
【図４】図４は、パッケージ内に配置されるＭＥＭＳチップの構成の説明図である。
【図５】図５は、本発明の第２実施形態に係る温度差測定装置の概略構成図である。
【図６】図６は、本発明の第３実施形態に係る温度差測定装置の概略構成図である。
【図７】図７は、本発明の第４実施形態に係る温度差測定装置の概略構成図である。
【図８】図８は、第３実施形態に係る温度差測定装置の変形例の説明図である。
【図９】図９は、第４実施形態に係る温度差測定装置の変形例の説明図である。
【図１０】図１０は、深部体温を測定（算出）するために使用されているセンサモジュールの説明図である。
【発明を実施するための形態】
【００２５】
以下、図面を参照して本発明の実施の形態について説明する。
【００２６】
《第１実施形態》
図１に、本発明の第１実施形態に係る温度差測定装置１を用いられた内部温度測定装置の概略構成図を示す。
【００２７】
この内部温度測定装置は、表面近傍に非発熱体が存在する測定対処物（人体等）の内部温度を測定するための装置である。図示してあるように、内部温度測定装置は、プリント回路板３０に設けられている貫通孔に温度差測定装置１を挿入した構成を有している。
【００２８】
プリント回路板３０は、演算回路３２ａ等の各種デバイス３２（抵抗、コンデンサ等）をプリント配線板３１上に実装したユニットである。演算回路３２ａは、温度差測定装置１（後述するＭＥＭＳチップ２０及びＡＳＩＣ２６）による温度差、温度の測定結果から、測定対象物の内部温度を算出して出力する回路である。
【００２９】
プリント回路板３０のプリント配線板３１には、温度差測定装置１を挿入するための貫通孔が設けられている。当該貫通孔の周囲には、貫通孔に挿入されたセンサパッケージ１０の各リード１３と対向するように、複数のランド（図示略）が設けられている。
【００３０】
温度差測定装置１は、内部温度の算出に必要とされる値（温度と１つ以上の温度差）を測定する装置である。図示してあるように、温度差測定装置１は、主要な構成要素として、センサパッケージ１０と天板１５とを備える。
【００３１】
センサパッケージ１０は、複数のリード１３を備えた有底筒状のパッケージ１１内に、ＭＥＭＳチップ２０及びＡＳＩＣ２６を配置したモジュールである。
以下、センサパッケージ１０の構成を具体的に説明する。
【００３２】
図２に、パッケージ１１の構成を示す。図示してあるように、パッケージ１１は、略有底四角筒状の筐体１２と、筐体１２の対向する側壁１２ａ、１２ｂを貫通する複数のリード１３とを備えている。パッケージ１１の各リード１３の、筐体１２下面との間の間隔は、プリント回路板３０（プリント配線板３１）の貫通孔に温度差測定装置１（センサパッケージ１０）の底部側を挿入したときに、温度差測定装置１の下面がプリント回路板３０の下面から突出するように（図１参照）定められている。
【００３３】
パッケージ１１の筐体１２の底部（以下、筐体底部とも表記する）には、伝熱パッド１４が配設されている。伝熱パッド１４は、筐体底部の伝熱パッド１４以外の部分よりも高
熱伝導性の材料（本実施形態では、金属）からなる、当該部分と略同じ厚さの部材である。筐体底部の伝熱パッド１４以外の部分の構成材料、及び、筐体１２の各側壁の構成材料は、比較的に熱伝導性が悪い材料であれば、同じ材料であっても異なる材料であっても良い。また、パッケージ１１の製造手順も特に限定されない。ただし、モールド成形（インサート成形）を用いれば、上記構成を有するパッケージ１１を容易に製造することが出来る。従って、筐体１２の伝熱パッド１４以外の部分の構成材料、及び、筐体１２の各側壁の構成材料は、モールド成形によるパッケージ１１の製造を可能とするために、同じ樹脂としておくことが好ましい。
【００３４】
ＭＥＭＳチップ２０（図１）は、パッケージ１１の筐体底部を介して流入する熱流束によりチップ内に生ずる温度差を測定する１つ以上のサーモパイルを備えるように、ＭＥＭＳ技術を用いて製造された小型な温度差センサ（熱流束センサ）である。
【００３５】
ＭＥＭＳチップ２０の具体的な構成は、内部温度を算出するために使用する算出法に応じたものとされる。具体的には、“背景技術”欄で説明したように、内部温度の算出法には、２つの温度差（Ｔｔ−Ｔａ 、Ｔｔ′−Ｔａ′）を必要とする方法（（４）式参照）
と、温度差を１つしか必要としない方法（（１）式参照）とがある。
【００３６】
内部温度の算出に前者の方法を使用する場合には、ΔＴ（“Ｔｔ−Ｔａ”に相当する温度差）を測定するための１つ以上のサーモパイルと、ΔＴ′（“Ｔｔ′−Ｔａ′”に相当する温度差）を測定するための１つ以上のサーモパイルとを備えたＭＥＭＳチップ２０が使用される。また、内部温度の算出に後者の方法を使用する場合には、ΔＴ（１種類の温度差）を測定するための１つ以上のサーモパイルを備えたＭＥＭＳチップ２０が使用される。
【００３７】
ここで、図３及び図４を用いて、ＭＥＭＳチップ２０の具体例（ＭＥＭＳチップ２０ａ、２０ｂ）を説明しておくことにする。尚、図３（Ａ）は、ΔＴを測定するためのサーモパイル２４ａと、ΔＴ′を測定するためのサーモパイル２４ｂとを備えたＭＥＭＳチップ２０ａの上面図である。図３（Ｂ）は、ＭＥＭＳチップ２０ａの、図３（Ａ）におけるＸ−Ｘ線断面図である。また、図４（Ａ）は、ΔＴを測定するための２つのサーモパイル２４ｃを備えたＭＥＭＳチップ２０ｂ（ΔＴ′を測定するためのサーモパイル２４を備えていないＭＥＭＳチップ２０ｂ）の上面図である。図４（Ｂ）は、ＭＥＭＳチップ２０ｂの、図４（Ａ）におけるＸ−Ｘ線断面図である。
【００３８】
図３、図４に示してあるように、各ＭＥＭＳチップ２０（２０ａ、２０ｂ）は、天面部２１と支持部２２とを備える。天面部２１は、シリコン基板上に各種半導体プロセス（膜形成、レジストパターン形成、エッチング等）を用いて形成される部分である。支持部２２は、天面部２１を形成したシリコン基板を裏面側からエッチングすることにより形成される部分である。
【００３９】
図３（Ｂ）、図４（Ｂ）に示してあるように、各ＭＥＭＳチップ２０の支持部２２は、天面部２１に至る１つの空洞（エッチングされた部分）を有している。以下、支持部２２の空洞上に位置している、天面部２１の部分のことを、メンブレン部と表記する。また、支持部２２の各一点鎖線枠２５内の部分（サーモパイル２４による測温対象となっている天面部２１の部分下に位置している支持部２２の部分）のことを、脚部２３と表記する。さらに、図３（Ａ）、図４（Ｂ）における左、右のことを、単に、左、右と表記する。
【００４０】
図３（Ａ）、（Ｂ）に示してあるように、ＭＥＭＳチップ２０ａの天面部２１内には、複数の熱電対を直列接続したサーモパイル２４ａ及び２４ｂが設けられている。尚、図示は省略してあるが、各ＭＥＭＳチップ２０の天面部２１の上面（図３（Ｂ）、図４（Ｂ）
における上側の面）には、各サーモパイル２４の出力を取り出すための電極が設けられている。
【００４１】
サーモパイル２４ａを構成している各熱電対とサーモパイル２４ｂを構成している各熱電対とはほぼ同一の長さのものである。図３（Ａ）に示してあるように、サーモパイル２４ａを構成している各熱電対の温接点、冷接点は、それぞれ、ＭＥＭＳチップ２０ａの左側の脚部２３（支持部２２の、左側の一点鎖線枠２５内の部分）上、メンブレン部内のＭＥＭＳチップ２０ａの左右方向のほぼ中央部分に配置されている。また、サーモパイル２４ｂを構成している各熱電対の温接点、冷接点は、それぞれ、ＭＥＭＳチップ２０ａの右側の脚部２３上、メンブレン部内のＭＥＭＳチップ２０ａの左右方向のほぼ中央部分に配置されている。
【００４２】
ＭＥＭＳチップ２０の支持部２２が有している空洞の左右方向の中心は、ＭＥＭＳチップ２０の左右方向の中心よりも左側に位置している。その結果、ＭＥＭＳチップ２０ａの、左側の脚部２３の下面から、サーモパイル２４ａの冷接点群が設けられている天面部２１の部分に至る熱経路の熱抵抗は、右側の脚部２３の下面からサーモパイル２４ｂの冷接点群が設けられている天面部２１の部分に至る熱経路の熱抵抗よりも大きくなっている。
【００４３】
従って、ＭＥＭＳチップ２０ａは、サーモパイル２４ａによりΔＴが測定され、サーモパイル２４ｂによりΔＴ′（＜ΔＴ）が測定されるデバイスであることになる。
【００４４】
また、図４と図３とを比較すれば明らかなように、ＭＥＭＳチップ２０ｂは、ＭＥＭＳチップ２０ａと空洞の位置のみが異なるデバイスとなっている。そして、ＭＥＭＳチップ２０ｂの空洞の左右方向の中心は、ＭＥＭＳチップ２０の左右方向の中心と一致しているので、ＭＥＭＳチップ２０ｂは、各サーモパイル２４ｃにより同じ温度差ΔＴを測定できるデバイスとなっていることになる。
【００４５】
図１に戻って、センサパッケージ１０の説明を続ける。
【００４６】
ＡＳＩＣ２６は、入出力用の複数の電極が、その上面に設けられている集積回路である。ＡＳＩＣ２６は、温度センサを内蔵している。また、ＡＳＩＣ２６は、温度センサの出力及びＭＥＭＳチップ２０の各サーモパイル２４の出力を増幅する機能と、増幅後の各出力をデジタルデータ化する機能とを有している。このＡＳＩＣ２６としては、例えば、絶対温度に比例した電圧を出力するＰＴＡＴ(Proportional To Absolute Temperature)電圧源（つまり、温度計として機能する電圧源）を備え、ＰＴＡＴ電圧源の構成要素が温度センサとして機能する集積回路を使用することが出来る。
【００４７】
ＡＳＩＣ２６及びＭＥＭＳチップ２０は、パッケージ１１（筐体１２）の伝熱パッド１４上に配置される。そして、センサパッケージ１０は、ＭＥＭＳチップ２０とＡＳＩＣ２６との間と、リード１３とＡＳＩＣ２６との間とを、ワイヤ・ボンディングにより電気的に接続したものとなっている。
【００４８】
以下、本実施形態に係る温度差測定装置１の、センサパッケージ１０以外の部分の構成を説明する。
【００４９】
図１に示してあるように、温度差測定装置１は、センサパッケージ１０の上端面上に配置された熱絶縁性部材１７と、熱絶縁性部材１７上に配置された天板１５と、天板１５の下面に配設された赤外線吸収部材１６とを備える。
【００５０】
熱絶縁性部材１７は、熱伝導性が悪い材料（発泡プラスティック等）製の平面視四角環
状の部材である。熱絶縁性部材１７は、センサパッケージ１０の四角環状の上端面（図２参照）上に、センサパッケージ１０の開口を囲む形で配置できるように形成されている。天板１５は、熱伝導性が良い材料（金属、セラミックス等）製の板状部材である。天板１５は、センサパッケージ１０の上面よりも大きなサイズを有しており、その中心がセンサパッケージ１０の上面の中心とほぼ一致するように、熱絶縁性部材１７上に配置されている。
【００５１】
赤外線吸収部材１６は、赤外線吸収機能を有する部材（アンチモンドープ酸化錫微粒子等を含めた樹脂部材等）である。図示してあるように、赤外線吸収部材１６は、天板１５の下面の、センサパッケージ１０の開口と対向する領域内に配設されている。また、赤外線吸収部材１６は、センサパッケージ１０の開口内に収まる形状を有している。
【００５２】
以上、説明したように、本実施形態に係る温度差測定装置１のセンサパッケージ１０の開口は、センサパッケージ１０の上面よりも大きなサイズの天板１５、すなわち、放熱性が高い天板１５で覆われている。そのため、温度差測定装置１では、天板１５の温度上昇が抑制されることになる。また、温度差測定装置１の天板１５とセンサパッケージ１０の上端面との間には、熱絶縁性部材１７が設けられている。従って、温度差測定装置１では、センサパッケージ１０の側壁を通った熱が天板１５に伝わることによる天板１５の温度上昇も抑制されることになる。そして、天板１５の温度が低い方が、ＭＥＭＳチップ２０のから上方に流出する熱量が多くなるのであるから、上記構成によれば、天板の温度上昇が抑制されていない場合よりも各サーモパイル２４により測定される温度差を大きくすることが出来る。
【００５３】
さらに、温度差測定装置１の天板１５の下面には、ＭＥＭＳチップ２０の上面と対向する赤外線吸収部材１６が設けられている。そのため、温度差測定装置１では、赤外線吸収部材１６により、ＭＥＭＳチップ２０と天板１５間の熱伝達が促進されて各サーモパイル２４により測定される温度差が増大することにもなる。
【００５４】
また、温度差測定装置１は、有底筒状のパッケージ内にＭＥＭＳデバイスを配置した構成を有している。従って、温度差測定装置１を用いておけば、プリント配線板上に直接ＭＥＭＳデバイスを配置する場合よりも、容易に（製造に要する工程数が少ない形で）、内部温度測定装置や熱流束測定装置を製造できることにもなる。
【００５５】
《第２実施形態》
以下、本発明の第２実施形態に係る温度差測定装置の構成を、上記した第１実施形態に係る温度差測定装置１と異なる部分を中心に説明する。
【００５６】
図５に、第２実施形態に係る温度差測定装置２の概略構成を示す。この図５と図１とを比較すれば明らかなように、本実施形態に係る温度差測定装置２は、温度差測定装置１の天板１５を、センサパッケージ１０の上面とほぼ同サイズの板状部材に複数の放熱フィン１５ａを設けた天板１５′に置き換えた装置となっている。
【００５７】
上記構成を有する天板１５′も、天板１５と同様に放熱性が高いものである。従って、第２実施形態に係る温度差測定装置２に採用されている構成によっても、ＭＥＭＳチップ２０の各サーモパイル２４により測定される温度差を増大させることが出来る。
【００５８】
《第３実施形態》
図６に、本発明の第３実施形態に係る温度差測定装置３の概略構成を示す。以下、この図を用いて、第３実施形態に係る温度差測定装置３の構成を、上記した温度差測定装置１と異なる部分を中心に説明する。尚、以下の説明では、図６における上、下のことを、単
に、上、下と表記する。
【００５９】
図６に示してあるように、温度差測定装置３は、プリント回路板３０の貫通孔にセンサパッケージ１０を挿入した装置と、ケース１８と、赤外線吸収部材１６とを備える。
【００６０】
温度差測定装置３のプリント回路板３０、センサパッケージ１０は、それぞれ、温度差測定装置１のプリント回路板３０、センサパッケージ１０と同じものである。赤外線吸収部材１６も、温度差測定装置１の赤外線吸収部材１６と同じものである。ただし、図示してあるように、赤外線吸収部材１６は、ケース１８の下面の、センサパッケージ１０の開口と対向する部分に配設されている。
【００６１】
ケース１８は、プリント回路板３０の貫通孔にセンサパッケージ１０を挿入した装置を、センサパッケージ１０の下面が露出する形で収容できる形状の部材である。ケース１８は、単一の材料からなるものであっても複数種類の材料からなるものであっても良い。ただし、図６から明らかなように、ケース１８は、上方側の部分が、熱を外気に放出する部材（天板１５相当の部材）として機能するものである。従って、ケース１８を、単一の材料製のものとする場合には、ケース１８の構成材料を、熱伝導性が良く、加工性が良い材料としておくことが好ましい。また、ケース１８を、複数種類の材料からなるものとする場合には、ケース１８の上方側の部分（例えば、上半分や、赤外線吸収部材１６が配設される部分とその周辺の部分）の構成材料を、熱伝導性が良い材料とし、ケース１８の残りの部分の構成材料を、熱伝導性が悪い材料としておくことが好ましい。
【００６２】
以上、説明したように、本実施形態に係る温度差測定装置３も、温度差測定装置１と同様に、ＭＥＭＳチップ２０の上面と対向する赤外線吸収部材１６を備えている。従って、この温度差測定装置３でも、赤外線吸収部材１６により、ＭＥＭＳチップ２０とケース１８の上方側の部分との間の熱伝達が促進されて各サーモパイル２４により測定される温度差が増大することになる。
【００６３】
《第４実施形態》
図７に、本発明の第４実施形態に係る温度差測定装置４の概略構成を示す。以下、この図を用いて、第４実施形態に係る温度差測定装置４の構成を、温度差測定装置１と異なる部分を中心に説明する。
【００６４】
温度差測定装置４は、ΔＴ及びΔＴ′を用いて内部温度を測定する内部温度測定装置の構成要素として使用される装置である。尚、既に説明（定義）したように、ΔＴ′とは、（４）式における“Ｔｔ′−Ｔａ′”に相当する温度差のことであり、ΔＴとは、（４）式における“Ｔｔ−Ｔａ”に相当する温度差のことである。
【００６５】
図７に示してあるように、温度差測定装置４は、センサパッケージ１０′と、天板１５１及び１５２と、赤外線吸収部材１６１及び１６２と、熱絶縁性部材１７′とを備えている。
【００６６】
センサパッケージ１０′は、センサパッケージ１０（図１）のＭＥＭＳチップ２０を、ＭＥＭＳチップ２０１及び２０２に置き換えたものに相当するモジュールである。ＭＥＭＳチップ２０１、ＭＥＭＳチップ２０２は、それぞれ、ΔＴ′、ΔＴ（＞ΔＴ′）を測定するためのＭＥＭＳチップである。尚、ＭＥＭＳチップ２０１、２０２としては、例えば、空洞の左右方向の長さをＭＥＭＳチップ２０ｂ（図４）より狭めたＭＥＭＳチップと、ＭＥＭＳチップ２０ｂとが使用される。
【００６７】
、
図示してあるように、ＭＥＭＳチップ２０１は、センサパッケージ１０′（パッケージ１１）の底面を左右方向に二分した二領域中の左側の領域内に配置されている。また、ＭＥＭＳチップ２０２は、当該二領域中の右側の領域内に配置されている。
【００６８】
天板１５１及び１５２は、天板１５と同様に、熱伝導性が良い材料製の平板状部材である。赤外線吸収部材１６１及び１６２も、赤外線吸収部材１６と同様に、赤外線吸収機能を有する部材である。
【００６９】
熱絶縁性部材１７′（図６において、網掛けを付してある部分）は、熱絶縁性部材１７と同様に、パッケージ１１の側壁を通って熱が天板１５１及び１５２に伝わることを抑制するために設けられている、熱伝導性が悪い材料製の部材である。熱絶縁性部材１７′は、天板１５２・ＭＥＭＳチップ２０２間の間隔が、天板１５１・ＭＥＭＳチップ２０１間の間隔よりも広くなる位置に、天板１５１、１５２を固定できるものであれば、平面視形状が“日”の字状等の１つの部材であっても、複数の部材の集合体であっても良い。
【００７０】
以下、本実施形態に係る温度差測定装置４に、上記構成を採用している理由を説明する。
【００７１】
天板（天板１５等）の温度は、外気温と一致していることが好ましい。ただし、実際には、センサパッケージの底部を介して温度差測定装置内に流入する測定対象物からの熱で、天板の温度は上昇する。そして、上記構成を採用しておけば、測定対象物からの熱による天板１５２の温度の上昇量が、天板１５１の温度の上昇量よりも小さくなる。すなわち、天板１５２の温度が天板１５１の温度よりも低くなる。
【００７２】
そのため、上記構成を採用しておけば、天板１５２下に位置するＭＥＭＳチップ２０２により測定される温度差ΔＴを大きくすることが出来る。そして、ΔＴ及びΔＴ′を用いて内部温度を算出する場合、“ΔＴ−ΔＴ′”値が大きな方が内部温度を正確に算出できるので、温度差測定装置４に、上記構成を採用しているのである。
【００７３】
以下、各実施形態に係る温度差測定装置について幾つかの事項を補足する。
【００７４】
各実施形態に係る温度差測定装置は、各種の変形を行えるものである。例えば、パッケージ１１（筐体１２）の形状は、有底筒状、つまり、底部と当該底部の周囲を囲繞する側壁部とを備えた形状であれば良い。従って、パッケージ１１（筐体１２）の形状を、有底四角筒状ではない有底角筒状や、有底円筒状や、有底楕円筒状等にしておいても良い。また、第１〜第３実施形態に係る温度差測定装置１〜３を、熱流束の測定に使用される装置に変形することが出来る。尚、熱流束は、その算出に温度を必要としない値である。従って、各実施形態に係る温度差測定装置を、熱流束の測定に使用される装置に変形する場合には、温度差測定装置から温度の測定機能を除去しておくことが出来る。
【００７５】
温度差測定装置内の空気温度が上昇し、内圧が上昇するのを防ぐために、熱絶縁性部材（１７、１７′）として、空気の出入口として機能する幾つかの溝が上面及び／又は下面に形成されているものや、空気の出入口として機能する幾つかの貫通孔が形成されているものを採用しておいても良い。
【００７６】
また、第１、第２、第４実施形態に係る温度差測定装置１、２、４を、天板（１５、１５１、１５２）がセンサパッケージ（１０、１０′）上に直接固定された装置（換言すれば、熱絶縁性部材１７、１７′が用いられていない装置）に変形しても良い。尚、温度差測定装置４を、天板１５１、１５２がセンサパッケージ１０′上に直接固定された装置に変形することは、例えば、上面に段差があるパッケージ１１を採用することによって実現
できる。また、温度差測定装置１、２、４を、天板がセンサパッケージ上に直接固定された装置（熱絶縁性部材が用いられていない装置）に変形する場合には、熱絶縁性部材に溝等を設ける代わりに、センサパッケージの上端面や、天板の下面に、空気の出入口として機能する幾つかの溝を設けておいても良い。
【００７７】
温度差測定装置１、２、４に、上面が、光（特に赤外光）を反射する光反射面となっている天板を採用しておいても良い。そのような天板を採用しておけば、光の入射による天板の温度上昇が抑制されることになる。従って、上面が光反射面となっている天板を採用しておけば、天板に光が入射しても正確な温度差を測定でき、リフローなどの熱処理時に内部温度が上昇しにくい温度差測定装置１、２、４を得ることが出来る。尚、上面が光反射面となっている天板は、例えば、金属板等の基体上に光反射面（光反射層）を形成することにより実現できる。
【００７８】
装置内の空気温度を安定化させるために、各実施形態に係る温度差測定装置（パッケージ１１、筐体１２）の内面を、黒色の部材、例えば、黒色の塗料、黒色の樹脂で被覆しておいても良い。
【００７９】
また、人体の深部体温の測定に使用する場合には、センサパッケージ１０の下面に、生体適合性を有する絶縁性のフィルムや樹脂部材等を固定しておいても良い。また、測定対象物との間の熱的接触性を良好なものとするために、下面が、中央部分が下方に突出した曲面状になるように、または、下面に曲面からなる凸構造が複数存在するように、センサパッケージを製造しておいても良い。
【００８０】
また、温度差測定装置３（図６）は、測定対象物からの熱が、ケース１８、プリント回路板３０及びリード１３を通って、センサパッケージ１０内に流入し得る装置である。リード１３等を通ってセンサパッケージ１０内に熱が流入すると測定誤差が大きくなるので、リード１３等を通ってセンサパッケージ１０内に流入する熱量を低減するために、温度差測定装置３を、図８に示した構成を有する温度差測定装置３′に変形しても良い。
【００８１】
すなわち、温度差測定装置３を、プリント回路板３０が、ケース１８の内底面から離れように、部材１９ａによってケース１８の上部側内面に対して固定された温度差測定装置３′に変形しても良い。尚、図８に示してある部材１９ｂは、プリント回路板３０及び／又はケース１８が変形して、プリント回路板３０が部材１９ａから外れないことを防ぐための部材である。また、部材１９ｂを、プリント回路板３０の下面に対して固定されていない部材としてあるのは、部材１９ｂを介してプリント回路板３０にケース１８からの熱の流入するのを防ぐためである。
【００８２】
筐体底部の、ＭＥＭＳチップ２０及びＡＳＩＣ２６が配置される部分を、高熱伝導性の伝熱パッド１４（図１参照）としているのは、原則として、筐体底部の厚さ方向の熱伝導性が良い方が温度差を正確に測定できるためである。ただし、ΔＴ及びΔＴ′から内部温度を算出する場合には、伝熱パッド１４の横方向（厚さ方向に垂直な方向）の熱伝導性が良いが故に、内部温度の推定誤差（内部温度の算出結果と実際の内部温度の差）が大きくなってしまうこともある。従って、筐体底部に伝熱パッド１４を設けることなく、筐体底部を、熱伝導性が比較的に悪い材料で形成しておいても良い。
【００８３】
また、筐体底部の横方向の熱伝導により内部温度の推定誤差が増大するのを防ぐために、ΔＴ測定用のサーモパイル２４とΔＴ′測定用のサーモパイル２４とを有するＭＥＭＳチップ２０が用いられている温度差測定装置では、筐体底部を、ＭＥＭＳチップ２０のΔＴ測定用のサーモパイル２４の温接点側の脚部２３下と、ΔＴ′測定用のサーモパイル２４の温接点側の脚部２３下のそれぞれに、伝熱パッド１４を設け、それらの伝熱パッド１
４間を熱伝導性が悪い部材で隔離しておいても良い。また、ΔＴ測定用のＭＥＭＳチップ２０とΔＴ′測定用のＭＥＭＳチップ２０とを備えた温度差測定装置、例えば、温度差測定装置４（図７）では、図９に示してあるように、各ＭＥＭＳチップ２０下に伝熱パッド１４を設け、それらの伝熱パッド１４間を熱伝導性が悪い部材１９で隔離しておいても良い。
【符号の説明】
【００８４】
１〜４  温度差測定装置
１０  センサパッケージ
１１  パッケージ
１２，１８  筐体
１２ａ，１２ｂ  側壁
１３  リード
１４  伝熱パッド
１５  天板
２０  ＭＥＭＳチップ
２１  天面部
２２  支持部
２３  脚部
２４，２４ａ，２４ｂ，２４ｃ  サーモパイル
２６  ＡＳＩＣ
３０  プリント回路板
３１  プリント配線板
３２  デバイス
３２ａ  演算回路
【図１】
0006398807.tif 000003
【図２】
0006398807.tif 000004
【図３】
0006398807.tif 000005
【図４】
0006398807.tif 000006
【図５】
0006398807.tif 000007
【図６】
0006398807.tif 000008
【図７】
0006398807.tif 000009
【図８】
0006398807.tif 000010
【図９】
0006398807.tif 000011
【図１０】
0006398807.tif 000012